(57)【特許請求の範囲】
【請求項１】
地盤を所定深さまで掘削したときの掘削面を露出させる施工に用いられる地盤の判別方法であって、
前記掘削面を含む判別対象地盤の熱特性を熱測定手段によって測定する熱測定工程と、
測定した前記判別対象地盤の熱特性を熱画像として処理し抽出する画像処理工程と、
該熱画像に基づいて前記掘削面の露出状態を判別する判別工程と、
を有することを特徴とする地盤の判別方法。
【請求項２】
地盤を支持地盤まで掘削して、該支持地盤上に直接支持体を支持させる施工に用いられ、
前記熱測定工程では、前記支持地盤を含む判別対象地盤の熱特性が熱測定手段によって測定され、
前記判別工程では、前記画像処理工程で抽出された熱画像に基づいて前記支持地盤の露出状態が判別されることを特徴とする請求項１に記載の地盤の判別方法。
【請求項３】
前記判別対象地盤のうち前記支持地盤の熱特性と、該支持地盤の直上における上層地盤の側壁の熱特性と、を比較して前記熱画像より判別することを特徴とする請求項２に記載の地盤の判別方法。
【請求項４】
前記判別工程において、前記支持地盤の露出が確認されない場合には、さらに地盤を掘削した後、前記測定工程、前記画像処理工程、及び前記判別工程が繰り返し行われることを特徴とする請求項２又は３に記載の地盤の判別方法。
【請求項５】
地盤を支持地盤まで掘削した第１掘削穴の第１熱画像を抽出し、該第１熱画像から前記第１掘削穴における支持地盤の第１熱特性を識別し、該第１熱特性を支持地盤の露出状態の基準として設定し、
前記第１掘削穴とは別の第２掘削穴の第２熱画像を抽出し、該第２熱画像から前記第２掘削穴における支持地盤の第２熱特性を識別し、該第２熱特性と前記第１熱特性とを比較することにより前記第２掘削穴の支持地盤の露出状態が判別されることを特徴とする請求項２乃至４のいずれか１項に記載の地盤の判別方法。
【請求項６】
前記熱測定手段は、前記判別対象地盤の放射熱を熱画像として画像表示するサーモグラフィであることを特徴とする請求項１乃至５のいずれか１項に記載の地盤の判別方法。
【発明の詳細な説明】
【技術分野】
【０００１】
本発明は、地盤の判別方法に関する。
【背景技術】
【０００２】
従来、建物、工作物（例えば、擁壁、鉄塔、支柱など）、或いはボックスカルバート等の基礎工事として、地盤を支持地盤まで掘り下げて、その支持地盤上に、改良体を施工したり、ラップルコンクリートや置換コンクリートなどのブロック状の直接支持体を支持させる施工が知られている。
この場合、地盤掘削装置を使用して地盤を支持地盤が完全に露出するまで掘削し、その支持地盤上に前記直接支持体を設置した後に、その直接支持体の周囲に掘削した土砂で埋め戻す施工が行われている（例えば、特許文献１参照）。
【先行技術文献】
【特許文献】
【０００３】
【特許文献１】特開２００２−３７１５８８号公報
【発明の概要】
【発明が解決しようとする課題】
【０００４】
しかしながら、従来のように支持地盤に直接支持体を支持させる施工では、以下のような問題があった。
すなわち、直接支持体は、その載置面が全体にわたって支持地盤に対して直接、載置された状態で設置する必要がある。例えば、掘削する表層地盤が例えば２〜１０ｃｍ残った状態で支持地盤上に直接支持体が設置されていると、施工後の直接支持体に残置された地盤の影響により不等沈下が生じるという問題があった。この場合、施工をやり直す必要があり、多大な手間と時間、コストがかかる。
【０００５】
ここで、支持地盤が完全に露出したどうかの確認作業は、作業員が掘り下げた掘削地盤面を地上から目視により判断するか、支持地盤とその上層の軟弱地盤とが混じりあっていてその境界が目視では判断し難い場合が多い。このような場合には、掘り下げた掘削地盤面上に下りて水洗い等を行いつつチェックする必要があった。しかも、支持地盤の露出状態が不十分な場合には、確実に露出されるまで掘削を繰り返すこととなり、作業効率が低いうえ、露出状態の判断の確度が低くなるといった問題があった。
【０００６】
本発明は、上述する問題点に鑑みてなされたもので、地盤の露出状態を容易に且つ確実に判別することができ、施工にかかる工期やコストの低減を図ることができる地盤の判別方法を提供することを目的とする。
【課題を解決するための手段】
【０００７】
上記目的を達成するため、本発明に係る地盤の判別方法は、地盤を所定深さまで掘削したときの掘削面を露出させる施工に用いられる地盤の判別方法であって、前記掘削面を含む判別対象地盤の熱特性を熱測定手段によって測定する熱測定工程と、測定した前記判別対象地盤の熱特性を熱画像として処理し抽出する画像処理工程と、該熱画像に基づいて前記掘削面の露出状態を判別する判別工程と、を有することを特徴としている。
【０００８】
本発明では、地盤を所定の深さまで掘り下げたときに、その掘削面を含む判別対象地盤を熱測定手段で測定し、その測定した地盤の熱エネルギー等の熱特性を熱画像として抽出することができるので、その熱画像より掘削面の露出状態を容易に判別することができる。つまり、地盤の熱エネルギーの特性を利用して得られる熱画像より、掘削面の露出状態を判別することができる。そして、掘削面が完全に露出していることを確認したときに、例えば掘削面に対して次工程の施工を速やかに且つ確実に行うことができるので、施工にかかる工期やコストの低減を図ることができる。
【０００９】
また、本発明に係る地盤の判別方法は、地盤を支持地盤まで掘削して、該支持地盤上に直接支持体を支持させる施工に用いられ、前記熱測定工程では、前記支持地盤を含む判別対象地盤の熱特性が熱測定手段によって測定され、前記判別工程では、前記画像処理工程で抽出された熱画像に基づいて前記支持地盤の露出状態が判別されるようにしてもよい。
【００１０】
本発明では、地盤を支持地盤まで掘り下げたときに、判別対象地盤を熱測定手段で測定し、その測定した地盤の熱エネルギー等の熱特性を熱画像として抽出することができるので、その熱画像より支持地盤の露出状態を容易に判別することができる。つまり、支持地盤の熱エネルギーの特性を利用して得られる熱画像より、支持地盤の表面（支持面）の露出状態を判別することができる。そして、支持面が完全に露出していることを確認したときに、その支持面に直接支持体を設ける作業を行うことができる。
つまり、支持地盤上にその上層の地盤が残っていると、その支持地盤と直接支持体との間にその上層地盤が介在し、両者の密着が不十分となるのを抑えることができ、地震時に両者が水平方向に相対移動したり、構造物の基礎として極めて軟弱な構造となることがなくなり、支持地盤と直接支持体とを確実に接着させることで、施工にかかる工期やコストの低減を図ることができる。
【００１１】
このように、完全に露出した状態の支持面を容易に判別でき、且つ露出状態を精度よく確認することができるので、作業の効率化を図ることができる。そのうえ、支持面に軟弱地盤が混在していたり、残っていたりすることを防ぐことが可能となるので、直接支持体の施工後の沈下を抑制することができ、品質の高い施工を行うことができる。
【００１２】
また、本発明に係る地盤の判別方法は、前記判別対象地盤のうち前記支持地盤の熱特性と、該支持地盤の直上における上層地盤の側壁の熱特性と、を比較して前記熱画像より判別するようにしてもよい。
【００１３】
この場合、例えば、砂礫層などからなる硬い支持地盤は、その上層に位置し掘削対象となる軟弱地盤に比べて土密度が大きく、熱伝導率が高く、表面温度も高くなる。そのため、支持地盤と軟弱地盤との温度差を利用した熱画像を抽出することができ、より精度の高い判別を行うことができる。
【００１４】
また、本発明に係る地盤の判別方法は、前記判別工程において、前記支持地盤の露出が確認されない場合には、さらに地盤を掘削した後、前記測定工程、前記画像処理工程、及び前記判別工程が繰り返し行われることが好ましい。
【００１５】
この場合には、熱測定手段より判別対象地盤の測定と、この測定による熱画像の抽出を容易に行うことができるので、前記判別工程で支持面の露出状態が完全でない場合であっても、これらの作業を繰り返して行うことが容易である。
【００１６】
また、本発明に係る地盤の判別方法は、地盤を支持地盤まで掘削した第１掘削穴の第１熱画像を抽出し、該第１熱画像から前記第１掘削穴における支持地盤の第１熱特性を識別し、該第１熱特性を支持地盤の露出状態の基準として設定し、前記第１掘削穴とは別の第２掘削穴の第２熱画像を抽出し、該第２熱画像から前記第２掘削穴における支持地盤の第２熱特性を識別し、該第２熱特性と前記第１熱特性とを比較することにより前記第２掘削穴の支持地盤の露出状態が判別されることが好ましい。
【００１７】
本発明では、複数の掘削穴を掘削し、それぞれの掘削穴の支持地盤の露出状態を判別する場合に、最初に掘削した掘削穴（第１掘削穴）の第１熱画像を熱測定手段により抽出し、その第１熱画像から第１掘削穴における支持地盤の第１熱特性を支持地盤の露出状態の基準として設定する。そして、第１掘削穴とは別の第２掘削穴における判別対象地盤の第２熱画像を抽出し、支持地盤の第２熱特性を識別し、この第２熱特性と基準となる第１熱特性とを比較することにより第２掘削穴の支持地盤の露出状態を判別することができる。
この場合、第２掘削穴における支持地盤とその周囲の他の地盤とを比較する必要がなく、第２熱特性が基準となる第１掘削穴の支持地盤の第１熱特性と同じか否かを判別することになるので、第２掘削穴ごとに判別する基準を設定する必要がなくなり、作業の簡略化を図ることができるうえ、判別精度も高めることができる。
【００１８】
また、本発明に係る地盤の判別方法は、前記熱測定手段は、前記判別対象地盤の放射熱を熱画像として画像表示するサーモグラフィであることが好ましい。
【００１９】
この場合、サーモグラフィで測定した熱画像を、そのサーモグラフィで画像表示できるので、短時間で支持面の露出状態を判別することができ、作業効率の向上を図ることができる。
【発明の効果】
【００２０】
本発明の地盤の判別方法によれば、地盤の露出状態を容易に且つ確実に判別することができ、施工後の直接支持体の沈下を防止することが可能となり、施工にかかる工期やコストの低減を図ることができるという効果を奏する。
【図面の簡単な説明】
【００２１】
【図１】本発明の実施の形態による支持地盤に施工される改良体の施工状態を示す縦断面図である。
【図２】支持地盤の判別方法を説明するための模式図である。
【図３】サーモグラフィによる測定範囲の写真を示す図である。
【図４】図４で測定した熱画像を示す図である。
【図５】サーモグラフィによる測定範囲の写真を示す図である。
【図６】図５で測定した熱画像を示す図である。
【図７】サーモグラフィによる測定範囲の写真を示す図である。
【図８】図７で測定した熱画像を示す図である。
【発明を実施するための形態】
【００２２】
以下、本発明の実施の形態による地盤の判別方法について、図面に基づいて説明する。
【００２３】
図１に示すように、本実施の形態による地盤の判別方法は、地盤Ｇを支持地盤Ｇ１（判別対象地盤）まで掘り下げて掘削して、支持地盤Ｇ１上にブロック状の改良体１（直接支持体）を支持させる施工に用いられる。ここで、本実施の形態の地盤Ｇは、例えば層厚が２〜６ｍ程度の軟弱層をなすローム層からなる上層地盤Ｇ０と、その上層地盤Ｇ０の下層において、砂礫や砂利等の硬い地盤であって構造物の基礎を支持する支持地盤Ｇ１が設けられた地盤を対象としている。つまり、支持地盤Ｇ１の表面（支持面Ｇ１ａ）は、地表面Ｇａから上層地盤Ｇ０の深さだけ掘り下げることで露出される。
【００２４】
改良体１は、例えば住宅等の建物の基礎体２を下方から支持するものであり、基礎体２と支持地盤Ｇ１との間に介在され、その支持地盤Ｇ１の支持面Ｇ１ａに直接、設置されている。
改良体１は、例えば掘削した上層地盤Ｇ０を仮置きしておき、その掘削土に地盤改良材を混合し、撹拌することにより作成される。そして、この改良体１は、ブロック状に掘り下げた空間に改良材として充填され固化することにより、支持地盤Ｇ１に接合される。これにより建物の鉛直荷重は、基礎体２および改良体１を介して支持地盤Ｇ１に確実に伝達される。
【００２５】
このような改良体１の施工方法としては、先ず、改良体１の設置箇所を重機を使用して掘り下げる。そして、図２に示すように、支持地盤Ｇ１が露出したことを後述する熱測定手段（サーモグラフィ３）を用いて判別し、完全に露出した状態を確認した後、その支持地盤Ｇ１の支持面Ｇ１ａ（掘削面）上に改良体１を設置する。つまり、上層地盤Ｇ０の掘り下げた空間内に、掘削土を戻すとともに地盤改良材を混合して撹拌することで改良材１ａとして充填し、固化させることでブロック状（平面視で正方形状）の改良体１が構築されることになる。このとき、掘削された上層地盤Ｇ０の掘削側面Ｇ０ａ（側壁、掘削面）は、前記改良材１ａが打設される際の型枠として機能する。
【００２６】
次いで、改良体１の上に建物の基礎体２を設置し、沈下が無いことを確認した後、建物を施工する。なお、建物における基礎体２及び改良体１の数量は、その建物の形状、大きさによって適宜設定されるものであり、通常は複数設けられている。
【００２７】
次に、前述した熱測定手段を用いた支持地盤Ｇ１の判別方法は、支持地盤Ｇ１の支持面Ｇ１ａの放射熱（熱伝導率）、すなわち熱エネルギー（熱特性）をサーモグラフィ３（熱測定手段）を用いて測定する熱測定工程と、測定した支持地盤Ｇ１の熱エネルギーを熱画像４（図４、図６、図８参照）として抽出する画像抽出工程と、前記熱画像４に基づいて支持面Ｇ１ａの露出状態を判別する判別工程と、を有している。
【００２８】
サーモグラフィ３による測定範囲は、判別対象地盤となる支持地盤Ｇ１の支持面Ｇ１ａと、少なくともその支持面Ｇ１ａに連接する上層地盤Ｇ０の掘削側面Ｇ０ａとすることが好ましい。このより、支持地盤Ｇ１の支持面Ｇ１ａの熱エネルギーと、この支持面Ｇ１ａに到達するまでの上層地盤Ｇ０の掘削側面Ｇ０ａの熱エネルギーと、の差を前記熱画像４より判別することができる。
【００２９】
サーモグラフィ３は、赤外線を利用した赤外線サーモグラフィであって、市販されている公知のものを使用することができ、測定（撮影）と同時にサーモグラフィ３に装備される表示画面３１に熱エネルギー（すなわち対象物から放射される赤外線）を可視化した温度分布（熱画像４）としてリアルタイムで表示されるものを採用することができる。なお、サーモグラフィ３として、表示画面３１を備えていないものであっても良く、その場合にはサーモグラフィ３に測定データを蓄積しておき、別で設けたモニタ３２に無線又は有線で伝送し、そのモニタ３２に熱画像４を表示して支持面Ｇ１ａの露出状態を確認するようにしてもよい。
【００３０】
なお、前述の判別工程において、表示される熱画像４により支持地盤Ｇ１の露出が十分に確認されない場合には、さらに上層地盤Ｇ０の掘削を行い、その後、サーモグラフィ３を用いて支持面Ｇ１ａの熱エネルギーを測定して熱画像４を抽出し、支持面Ｇ１ａの露出状態を確認することを繰り返し行う。
【００３１】
ここで、支持面Ｇ１ａの露出状態の判別について、具体的に説明する。
ローム層等の軟弱地盤である上層地盤Ｇ０は、一般的に、砂礫層からなる硬い支持地盤Ｇ１に比べて、土密度が小さく、また水分、空気の含有量が多くなっている。そのため、支持地盤Ｇ１は、上層地盤Ｇ０よりも熱伝導率（熱拡散率）が大きくなり表面温度が高くなり温度差が生じる。本実施の形態の支持地盤の判別方法は、前記温度差に着目した判別する方向を採用している。
なお、この温度差を利用せずに、支持面Ｇ１ａのみの熱画像４の温度分布（色合い）に基づいて、支持面Ｇ１ａの露出状態を判別することも可能である。
【００３２】
図３及び図４は、支持地盤Ｇ１の支持面Ｇ１ａが完全に露出した状態を示している。すなわち、図３の掘り下げた地盤をサーモグラフィ３（図２）で測定した第１熱画像４Ａが図４に示されている。ここで、図４の熱画像中の下側には、この熱画像で表示される温度分布が示されている。つまり、図４は、１２．４〜１７．４℃の温度レンジによるものであり、最高温度が画像中の矢印の位置で１９．１℃、画像の中心部で１５．５℃を示している。なお、後述する図６及び図８の熱画像についても同様である。
この第１熱画像４Ａにおいて、支持面Ｇ１ａが全体にわたって一様に濃い色に表示されているうえ、支持面Ｇ１ａと上層地盤Ｇ０の掘削側面Ｇ０ａとの色の差、すなわち境界線が明確になっている。この状態では、支持面Ｇ１ａに上層地盤Ｇ０が残っていたり混在していない状態であり、支持面Ｇ１ａが完全に露出した状態であるという判別をすることができる。
【００３３】
一方、図５及び図６は、支持地盤Ｇ１の支持面Ｇ１ａに上層地盤Ｇ０の一部が混じっている状態を示している。図６に示す第２熱画像４Ｂにおいて、支持面Ｇ１ａと上層地盤Ｇ０の掘削側面Ｇ０ａとの色の差が確認できるものの、支持面Ｇ１ａの一部に色の薄い部分（図６の符号Ｐａ）が混ざって斑状になっていることが確認できる。つまり、この状態では、支持面Ｇ１ａに上層地盤Ｇ０が残っていたり混在した状態であり、支持面Ｇ１ａが完全に露出した状態とはいえず、再掘削が必要という判別となる。
【００３４】
さらに、図７及び図８は、支持地盤Ｇ１の支持面Ｇ１ａに上層地盤Ｇ０が例えば２〜１０ｃｍ程度の厚さで一様に残っていて、上層地盤Ｇ１の掘削が不十分な状態を示している。図８に示す第３熱画像４Ｃにおいて、支持面Ｇ１ａと上層地盤Ｇ０の掘削側面Ｇ０ａとの色の差が無く、全体的に色が薄くなっていることが確認できる。つまり、この状態では、支持面Ｇ１ａに上層地盤Ｇ０が残っている状態であり、支持面Ｇ１ａが露出した状態ではなく、再掘削が必要という判別となる。
【００３５】
次に、上述した地盤の判別方法による作用について、図面に基づいて具体的に説明する。
図２に示すように、本実施の形態では、地盤Ｇを支持地盤Ｇ１まで掘り下げたときに、判別対象地盤となる支持地盤Ｇ１の支持面Ｇ１ａと上層地盤Ｇ０の掘削側面Ｇ０ａをサーモグラフィ３で測定し、その測定した地盤の熱エネルギーを熱画像４として抽出することができるので、その熱画像４より支持面Ｇ１ａの露出状態を容易に判別することができる。つまり、支持地盤Ｇ１の熱エネルギーの特性を利用して得られる熱画像４より、支持地盤Ｇ１の表面（支持面Ｇ１ａ）の露出状態を判別することができる。そして、支持面Ｇ１ａが完全に露出していることを確認したときに、その支持面Ｇ１ａに改良体１を設ける作業を行うことができる。
【００３６】
このように、完全に露出した状態の支持面Ｇ１ａを容易に判別でき、且つ露出状態を精度よく確認することができるので、作業の効率化を図ることができる。
そのうえ、支持面Ｇ１ａに軟弱地盤である上層地盤Ｇ０が混在していたり、残っていたりすることを防ぐことが可能となるので、改良体１の施工後の建物の沈下を抑制することができ、品質の高い施工を行うことができる。
【００３７】
また、本実施の形態では、砂礫層などからなる硬い支持地盤Ｇ１は、その上層に位置し掘削対象となる軟弱地盤（上層地盤Ｇ０）に比べて土密度が大きく、熱伝導率が高く、表面温度も高くなる。そのため、支持地盤Ｇ１と軟弱地盤Ｇ０との温度差を利用した熱画像４を抽出することができ、より精度の高い判別を行うことができる。
【００３８】
また、本実施の形態では、サーモグラフィ３より支持地盤Ｇ１等の判別対象地盤の測定と、この測定による熱画像４の抽出を容易に行うことができるので、前記判別工程で支持面Ｇ１ａの露出状態が完全でない場合であっても、これらの作業を繰り返して行うことが容易である。
【００３９】
また、本実施の形態では、サーモグラフィ３で測定した熱画像４を、そのサーモグラフィ３の表示画面３１で画像表示できるので、短時間で支持面Ｇ１ａの露出状態を判別することができ、作業効率の向上を図ることができる。
【００４０】
上述のように本実施の形態による支持地盤の判別方法では、支持地盤Ｇ１の露出状態を容易に且つ確実に判別することができ、支持地盤Ｇ１と改良体１とを確実に接着させることで、施工後の改良体１の沈下を防止することが可能となり、施工にかかる工期やコストの低減を図ることができるという効果を奏する。
【００４１】
以上、本発明による地盤の判別方法の実施の形態について説明したが、本発明は上記の実施の形態に限定されるものではなく、その趣旨を逸脱しない範囲で適宜変更可能である。
【００４２】
例えば、上記の実施の形態では熱測定手段としてサーモグラフィ３を採用しているが、これに限定されることがない。要は、判別対象地盤の熱特性を測定でき、測定したデータを熱画像として抽出できるものであれば良いのであって、他の熱測定手段を用いることもできる。
つまり、別対象地盤の熱特性として、上述した実施の形態では地盤から放射される赤外線（熱エネルギー）を対象としているが、これに限らず、熱伝導率、温度などを熱特性とすることができる。
【００４３】
また、本実施の形態では、支持地盤Ｇ１の支持面Ｇ１ａを掘削面とした支持地盤Ｇ１の判別方法を使用する施工、すなわち支持地盤Ｇ１に直接支持体を支持する施工を対象としているが、このような施工であることに限定されることはない。
要は、地盤を所定深さまで掘削したときの掘削面を露出させる施工に用いられる地盤の判別方法であって、掘削面を含む判別対象地盤の熱特性を熱測定手段によって測定し、測定した判別対象地盤の熱特性を熱画像として処理し抽出し、この熱画像に基づいて掘削面の露出状態を判別する判別方法であれば良いのである。
【００４４】
また、本実施の形態では、直接支持体として地盤改良された改良体としているが、これに限定されず、コンクリート（例えばラップルコンクリート、置換コンクリート）を掘り下げた地盤に打設する直接支持体であってもよい。または、建物等の基礎を直接支持体とし、支持地盤Ｇ１の支持面Ｇ１ａに直接設置する施工を対象とすることができる。
【００４５】
さらに、本実施の形態では、直接支持体が建物の基礎を対象としているが、これに限定されることはなく、この他に擁壁、鉄塔、看板の支柱などの工作物の基礎、ボックスカルバート、橋脚などを対象とすることができる。
【００４６】
また、支持地盤の判別方法として、上述した実施の形態のように１箇所の掘削穴における支持地盤の判別方法に限定されることはない。
例えば、複数の掘削穴を掘削し、それぞれの掘削穴の支持地盤の露出状態を判別する場合には、最初に掘削した掘削穴（第１掘削穴）の第１熱画像を熱測定手段により抽出し、その第１熱画像から第１掘削穴における支持地盤の第１熱特性を支持地盤の露出状態の基準として設定する。そして、第１掘削穴とは別の第２掘削穴における判別対象地盤の第２熱画像を抽出し、支持地盤の第２熱特性を識別し、この第２熱特性と基準となる第１熱特性とを比較することにより第２掘削穴の支持地盤の露出状態を判別することができる。
この場合、第２掘削穴における支持地盤とその周囲の他の地盤とを比較する必要がなく、第２熱特性が基準となる第１掘削穴の支持地盤の第１熱特性と同じか否かを判別することになるので、第２掘削穴ごとに判別する基準を設定する必要がなくなり、作業の簡略化を図ることができるうえ、判別精度も高めることができる。
【００４７】
さらにまた、地盤の掘り下げの掘削に必要な重機や、改良体１を施工するための地盤改良装置の構成などについても、とくに制限されるものではない。
その他、本発明の趣旨を逸脱しない範囲で、上記した実施の形態における構成要素を周知の構成要素に置き換えることは適宜可能である。
【符号の説明】
【００４８】
１  改良体（直接支持体）
２  基礎体
３  サーモグラフィ（熱測定手段）
４、４Ａ、４Ｂ、４Ｃ  熱画像
Ｇ  地盤
Ｇ０  上層地盤（判別対象地盤）
Ｇ０ａ  掘削側面（側壁、掘削面）
Ｇ１  支持地盤（判別対象地盤）
Ｇ１ａ  支持面（掘削面）
【図１】
0006314357.tif 000002
【図２】
0006314357.tif 000003
【図３】
0006314357.tif 000004
【図４】
0006314357.tif 000005
【図５】
0006314357.tif 000006
【図６】
0006314357.tif 000007
【図７】
0006314357.tif 000008
【図８】
0006314357.tif 000009